(57)【要約】【課題】    本発明の目的は、コンパクトなほこり取りのアタッチメントを提供するものである。【解決手段】    ほこり取りのアタッチメント１は、電気掃除機の吸引部２に着脱自在に取り付けられるほこり取りのアタッチメント１であって、一端にほこり取り３が挿入可能な筒部１１を設けると共に、他端に電気掃除機の吸引部２に装着可能な装着部１２を有する本体１を備え、本体１は、内部に吸引通路１３を有し、吸引通路１３の装着部１２から遠い側の開口端１３Ａは、筒部１１の内壁１１Ｎに臨み、ホコリ取り３は、長手方向に長い部材であり、筒部１１の一方の開口端１１Ａから筒部１１の他方の開口端１１Ｂに至る寸法Ｌ１は、ホコリ取り３の長手方向の寸法Ｌ２より短いものである。【選択図】図１
2018000334.tif 000002
【特許請求の範囲】
【請求項１】
電気掃除機の吸引部に着脱自在に取り付けられるほこり取りのアタッチメントであって、
一端にほこり取りが挿入可能な筒部を設けると共に、他端に前記電気掃除機の吸引部に装着可能な装着部を有する本体を備え、
前記本体は、内部に吸引通路を有し、前記吸引通路の前記装着部から遠い側の開口端は、前記筒部の内壁に臨み、
前記ホコリ取りは、長手方向に長い部材であり、
前記筒部の一方の開口端から前記筒部の他方の開口端に至る寸法は、前記ホコリ取りの長手方向の寸法より短い
ことを特徴とするほこり取りのアタッチメント。
【請求項２】
吸引通路の装着部から遠い側の開口端を跨るように基部が設けられ、この基部に前記開口端の外側に突出する突起が設けられている
ことを特徴とする請求項１記載のほこり取りのアタッチメント。
【請求項３】
吸引通路の装着部から遠い側の開口端を跨るように設けられた第１の基部と、
この第１の基部に設けられ、前記開口端の外側に突出する第１の突起と、
前記開口端を跨るように設けられた第２の基部と、
この第２の基部に設けられ、前記開口端の外側に突出する第２の突起と、
前記開口端の外側から見て、前記第１の基部と前記第２の基部はクロスし、前記開口端の開口部が４個に分割形成されている
ことを特徴とする請求項１記載のほこり取りのアタッチメント。
【請求項４】
筒部に挿入されるホコリ取りの外形形状に従い変形できるように、前記筒部は、変形可能な部材で形成されている
ことを特徴とする請求項１記載のほこり取りのアタッチメント。
【発明の詳細な説明】
【技術分野】
【０００１】
本発明は、ほこり取りのアタッチメントに係り、特に、コンパクトにして使用し易くしたほこり取りのアタッチメントに関する。
【背景技術】
【０００２】
従来、ほこり取り等に付着した塵埃を、効果的に集塵するために電気掃除機に装着して吸引除去し塵埃の吸着力を回復させるダスタークリーナーアタッチメントがある（特許文献１参照）。
このダスタークリーナーアタッチメントは、筒状本体の内周壁円周上に複数のリングを間隔を空けて突設すると共に、前記筒状本体の上端にホコリ取りが挿入可能な挿入口を設け、前記筒状本体の下端部にＬ字状の吸引ホース継手を前記筒状本体の内部に連通するように前記吸引ホース継手の先端部を上向きに設置したもので、
ほこり取り等に付着した塵埃を、効果的に集塵するために電気掃除機に装着して吸引除去し塵埃の吸着力を回復させるものである。
【先行技術文献】
【特許文献】
【０００３】
【特許文献１】特開２０１５−７３７７９号公報
【発明の概要】
【発明が解決しようとする課題】
【０００４】
しかしながら、上記特許文献１記載の「ダスタークリーナーアタッチメント」にあっては、長手方向に長い筒状本体、この筒状本体の下方側方に張り出した吸引ノズル嵌合口と、全体的に嵩張って、コンパクトさに欠け、使用しづらいという問題点があった。
【０００５】
本発明は、上記実情を考慮して、コンパクトにして使用し易くしたほこり取りのアタッチメントを提供することを目的とする。
【課題を解決するための手段】
【０００６】
請求項１記載のほこり取りのアタッチメントは、電気掃除機の吸引部に着脱自在に取り付けられるほこり取りのアタッチメントであって、一端にほこり取りが挿入可能な筒部を設けると共に、他端に前記電気掃除機の吸引部に装着可能な装着部を有する本体を備え、前記本体は、内部に吸引通路を有し、前記吸引通路の前記装着部から遠い側の開口端は、前記筒部の内壁に臨み、前記ホコリ取りは、長手方向に長い部材であり、前記筒部の一方の開口端から前記筒部の他方の開口端に至る寸法は、前記ホコリ取りの長手方向の寸法より短いものである。
【０００７】
また、請求項２記載のほこり取りのアタッチメントは、請求項１記載のほこり取りのアタッチメントにおいて、吸引通路の装着部から遠い側の開口端を跨るように基部が設けられ、この基部に前記開口端の外側に突出する突起が設けられているものである。
【０００８】
また、請求項３記載のほこり取りのアタッチメントは、請求項１記載のほこり取りのアタッチメントにおいて、吸引通路の装着部から遠い側の開口端を跨るように設けられた第１の基部と、この第１の基部に設けられ、前記開口端の外側に突出する第１の突起と、前記開口端を跨るように設けられた第２の基部と、この第２の基部に設けられ、前記開口端の外側に突出する第２の突起と、前記開口端の外側から見て、前記第１の基部と前記第２の基部はクロスし、前記開口端の開口部が４個に分割形成されているものである。
【０００９】
また、請求項４記載のほこり取りのアタッチメントは、請求項１記載のほこり取りのアタッチメントにおいて、筒部に挿入されるホコリ取りの外形形状に従い変形できるように、前記筒部は、変形可能な部材で形成されているものである。
【発明の効果】
【００１０】
請求項１記載のほこり取りのアタッチメントによれば、ほこり取りのアタッチメントの装着部を電気掃除機の吸引部に装着し、筒部にホコリ取りを挿入し、筒部内において、挿入したホコリ取りを前後方向に移動又は回転させれば、ホコリ取りに付着したほこりを電気掃除機の吸引部の吸引により分離させることができ、しかも、ホコリ取りの汚れ状態を見ながらホコリ取りの清掃を行うことができる。更に、筒部の一方の開口端から前記筒部の他方の開口端に至る寸法は、ホコリ取りの長手方向の寸法より短いため、コンパクトなほこり取りのアタッチメントを得て、使用し易くすることができる。
【００１１】
また、請求項２記載のほこり取りのアタッチメントによれば、前述した請求項１記載の効果に加え、吸引通路の装着部から遠い側の開口端を跨るように基部が設けられ、この基部に前記開口端の外側に突出する突起が設けられているため、突起にホコリ取りを接触させて、ホコリ取りに付着したほこりを分離し易くして、ホコリ取りの清掃を行うことができる。
【００１２】
また、請求項３記載のほこり取りのアタッチメントによれば、前述した請求項１記載の効果に加え、吸引通路の装着部から遠い側の開口端を跨るように設けられた第１の基部と、この第１の基部に設けられ、前記開口端の外側に突出する第１の突起と、前記開口端を跨るように設けられた第２の基部と、この第２の基部に設けられ、前記開口端の外側に突出する第２の突起と、前記開口端の外側から見て、前記第１の基部と前記第２の基部はクロスし、前記開口端の開口部が４個に分割形成されているため、開口端の開口部４個を確保しながら、第１の突起及び第２の突起を開口端近傍に設けることができる。
【００１３】
また、請求項４記載のほこり取りのアタッチメントによれば、前述した請求項１記載の効果に加え、筒部に挿入されるホコリ取りの外形形状に従い変形できるように、前記筒部は、変形可能な部材で形成されているため、筒部にホコリ取りを挿入し、挿入した状態で筒部内を前後方向に移動又は回転させれば、筒部はホコリ取りの移動に従って変形して、ホコリ取りを案内することができる。
【図面の簡単な説明】
【００１４】
【図１】図１は、本発明の一実施例のほこり取りのアタッチメントの使用状態の概略的斜視図である。
【図２】図２は、図１を分解して示す概略的分解斜視図である。
【図３】図３は、図１のほこり取りのアタッチメントの概略的平面図である。
【図４】図４は、図３の４−４線による概略的断面図である。
【００１５】
本発明の一実施例のほこり取りのアタッチメントを図１乃至図４を参照して説明する。
図１乃至図４において、１は、ほこり取りのアタッチメントで、ほこり取りのアタッチメント１は、電気掃除機の吸引部２に着脱自在に取り付けられ、ほこり取り３に付着したほこりを除去するものである。
ほこり取りのアタッチメント１は、一端にほこり取りが挿入可能な筒部１１を設けると共に、他端に電気掃除機の吸引部２に装着可能な装着部１２を有する本体１０を備えている。
【００１６】
本体１０は、内部に吸引通路１３を有し、吸引通路１３の装着部１２から遠い側の開口端１３Ａは、筒部１１の内壁１１Ｎに臨んでいる。
ホコリ取り３は、例えば、図２に示すように、穂の部分３１を導電性繊維等で製作し、静電吸着作用でホコリを取るもので、長手方向に長い部材である。
そして、図１に示すように、筒部１１の一方の開口端１１Ａから筒部１１の他方の開口端１１Ｂに至る寸法Ｌ１は、ホコリ取り３の長手方向の寸法Ｌ２より短くなっている（Ｌ１＜Ｌ２）。
【００１７】
従って、上述したほこり取りのアタッチメント１によれば、図１に示すように、ほこり取りのアタッチメント１の装着部１２を電気掃除機の吸引部２に装着し、筒部１１にホコリ取り３を挿入し、筒部１１内において、挿入したホコリ取り３を前後方向に移動又は回転させれば、ホコリ取り３に付着したほこりを電気掃除機の吸引部２の吸引により分離させることができ、しかも、ホコリ取り３の汚れ状態を見ながらホコリ取り３の清掃を行うことができる。更に、筒部１１の一方の開口端１１Ａから筒部１１の他方の開口端１１Ｂに至る寸法Ｌ１は、ホコリ取り３の長手方向の寸法Ｌ２より短いため、コンパクトなほこり取りのアタッチメント１を得て、使用し易くすることができる（例えば、左手に吸引部２の外側を、右手にホコリ取り３を持って使用することができる。）。
【００１８】
また、吸引通路１３の装着部１２から遠い側の開口端１３Ａを跨るように基部１４が設けられ、この基部１４に開口端１３Ａの外側に突出する突起１５が設けられているため、突起１５にホコリ取り３を接触させて、ホコリ取り３に付着したほこりを分離し易くして、ホコリ取りの清掃を行うことができる。なお、開口端１３Ｂは、装着部１２に近い側の開口端である。
更に、実施例に則して説明すれば、ほこり取りのアタッチメント１には、吸引通路１３の装着部１２から遠い側の開口端１３Ａを跨るように設けられた第１の基部１４１（１４）と、この第１の基部１４１（１４）に設けられ、開口端１３Ａの外側に突出する第１の突起１５１（１５）と、開口端１３Ａを跨るように設けられた第２の基部１４２（１４）と、この第２の基部１４２（１４）に設けられ、開口端１３Ａの外側に突出する第２の突起１５２（１５）とが設けられ、開口端１３Ａの外側から見て、第１の基部１４１と第２の基部１４２はクロスし（図４参照）、開口端１３Ａの開口部ａ、ｂ、ｃ、ｄが４個分割形成されている。
そのため、開口端１３Ａの開口部ａ、ｂ、ｃ、ｄの４個を確保しながら、第１の突起１５１（１５）及び第２の突起１５２（１５）を開口端１３Ａ近傍に強固に設けることができる。
【００１９】
また、筒部１１に挿入されるホコリ取り３の外形形状に従い変形できるように、筒部１１を、変形可能な部材で形成（筒部１１を、例えば、柔らかい素材で形成する。）するようにしても良い。
弾性変形できる柔らかい筒部１１にホコリ取り３（例えば、ホコリ取り３の外形が筒部１１の内径より大きい場合）を挿入し、挿入した状態で筒部１１内を前後方向に移動又は回転させれば、筒部１１はホコリ取り３の移動に従って変形して、ホコリ取りを案内して、ホコリ取り３に付着したほこりを開口部ａ、ｂ、ｃ、ｄを介して、除去することができる。
【符号の説明】
【００２０】
１      ほこり取りのアタッチメント
２      電気掃除機の吸引部（吸引部）
３      ほこり取り
１１    筒部
１１Ａ  筒部の一方の開口端
１１Ｂ  筒部の他方の開口端
１２    装着部
１３    吸引通路
１３Ａ  装着部から遠い側の開口端
Ｌ１    寸法（筒部の一方の開口端から筒部の他方の開口端に至る寸法）
Ｌ２    寸法（ホコリ取りの長手方向の寸法）
【図１】
2018000334.tif 000003
【図２】
2018000334.tif 000004
【図３】
2018000334.tif 000005
【図４】
2018000334.tif 000006
【手続補正書】
【提出日】平成29年1月24日(2017.1.24)
【手続補正１】
【補正対象書類名】特許請求の範囲
【補正対象項目名】全文
【補正方法】変更
【補正の内容】
【特許請求の範囲】
【請求項１】
電気掃除機の吸引部に着脱自在に取り付けられるほこり取りのアタッチメントであって、
一端にほこり取りが挿入可能な筒部を設けると共に、他端に前記電気掃除機の吸引部に装着可能な装着部を有する本体を備え、
前記本体は、内部に吸引通路を有し、前記吸引通路の前記装着部から遠い側の開口端は、前記筒部の内壁に臨み、
前記ホコリ取りは、長手方向に長い部材であり、
前記筒部の一方の開口端から前記筒部の他方の開口端に至る寸法は、前記ホコリ取りの長手方向の寸法より短く、
前記吸引通路の前記装着部から遠い側の開口端を跨るように基部が設けられ、この基部に前記吸引通路の前記装着部から遠い側の開口端の外側であって、前記吸引通路の前記装着部から遠い側の開口端から前記装着部に向かう方向と逆方向に突出する突起が設けられている
ことを特徴とするほこり取りのアタッチメント。
【請求項２】
電気掃除機の吸引部に着脱自在に取り付けられるほこり取りのアタッチメントであって、
一端にほこり取りが挿入可能な筒部を設けると共に、他端に前記電気掃除機の吸引部
に装着可能な装着部を有する本体を備え、
前記本体は、内部に吸引通路を有し、前記吸引通路の前記装着部から遠い側の開口端
は、前記筒部の内壁に臨み、
前記ホコリ取りは、長手方向に長い部材であり、
前記筒部の一方の開口端から前記筒部の他方の開口端に至る寸法は、前記ホコリ取り
の長手方向の寸法より短く、
前記吸引通路の装着部から遠い側の開口端を跨るように設けられた第１の基部と、
この第１の基部に設けられ、前記開口端の外側に突出する第１の突起と、
前記開口端を跨るように設けられた第２の基部と、
この第２の基部に設けられ、前記開口端の外側に突出する第２の突起と、
前記開口端の外側から見て、前記第１の基部と前記第２の基部はクロスし、前記開口
端の開口部が４個に分割形成されている
ことを特徴とするほこり取りのアタッチメント。
【手続補正２】
【補正対象書類名】明細書
【補正対象項目名】０００６
【補正方法】変更
【補正の内容】
【０００６】
請求項１記載のほこり取りのアタッチメントは、電気掃除機の吸引部に着脱自在に取り付けられるほこり取りのアタッチメントであって、一端にほこり取りが挿入可能な筒部を設けると共に、他端に前記電気掃除機の吸引部に装着可能な装着部を有する本体を備え、前記本体は、内部に吸引通路を有し、前記吸引通路の前記装着部から遠い側の開口端は、前記筒部の内壁に臨み、前記ホコリ取りは、長手方向に長い部材であり、前記筒部の一方の開口端から前記筒部の他方の開口端に至る寸法は、前記ホコリ取りの長手方向の寸法より短く、前記吸引通路の前記装着部から遠い側の開口端を跨るように基部が設けられ、この基部に前記吸引通路の前記装着部から遠い側の開口端の外側であって、前記吸引通路の前記装着部から遠い側の開口端から前記装着部に向かう方向と逆方向に突出する突起が設けられているものである。
【手続補正３】
【補正対象書類名】明細書
【補正対象項目名】０００７
【補正方法】変更
【補正の内容】
【０００７】
また、請求項２記載のほこり取りのアタッチメントは、電気掃除機の吸引部に着脱自在に取り付けられるほこり取りのアタッチメントであって、一端にほこり取りが挿入可能な筒部を設けると共に、他端に前記電気掃除機の吸引部に装着可能な装着部を有する本体を備え、前記本体は、内部に吸引通路を有し、前記吸引通路の前記装着部から遠い側の開口端は、前記筒部の内壁に臨み、前記ホコリ取りは、長手方向に長い部材であり、前記筒部の一方の開口端から前記筒部の他方の開口端に至る寸法は、前記ホコリ取りの長手方向の寸法より短く、前記吸引通路の装着部から遠い側の開口端を跨るように設けられた第１の基部と、この第１の基部に設けられ、前記開口端の外側に突出する第１の突起と、前記開口端を跨るように設けられた第２の基部と、この第２の基部に設けられ、前記開口端の外側に突出する第２の突起と、前記開口端の外側から見て、前記第１の基部と前記第２の基部はクロスし、前記開口端の開口部が４個に分割形成されているものである。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
請求項１記載のほこり取りのアタッチメントによれば、ほこり取りのアタッチメントの装着部を電気掃除機の吸引部に装着し、筒部にホコリ取りを挿入し、筒部内において、挿入したホコリ取りを前後方向に移動又は回転させれば、ホコリ取りに付着したほこりを電気掃除機の吸引部の吸引により分離させることができ、しかも、ホコリ取りの汚れ状態を見ながらホコリ取りの清掃を行うことができる。更に、筒部の一方の開口端から前記筒部の他方の開口端に至る寸法は、ホコリ取りの長手方向の寸法より短いため、コンパクトなほこり取りのアタッチメントを得て、使用し易くすることができる。
また、吸引通路の装着部から遠い側の開口端を跨るように基部が設けられ、この基部に前記開口端の外側に突出する突起が設けられているため、突起にホコリ取りを接触させて、ホコリ取りに付着したほこりを分離し易くして、ホコリ取りの清掃を行うことができる。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
また、請求項２記載のほこり取りのアタッチメントによれば、吸引通路の装着部から遠い側の開口端を跨るように設けられた第１の基部と、この第１の基部に設けられ、前記開口端の外側に突出する第１の突起と、前記開口端を跨るように設けられた第２の基部と、この第２の基部に設けられ、前記開口端の外側に突出する第２の突起と、前記開口端の外側から見て、前記第１の基部と前記第２の基部はクロスし、前記開口端の開口部が４個に分割形成されているため、開口端の開口部４個を確保しながら、第１の突起及び第２の突起を開口端近傍に設けることができる。
【手続補正９】
【補正対象書類名】明細書
【補正対象項目名】００１３
【補正方法】削除
【補正の内容】
【手続補正書】
【提出日】平成29年5月23日(2017.5.23)
【手続補正１】
【補正対象書類名】特許請求の範囲
【補正対象項目名】全文
【補正方法】変更
【補正の内容】
【特許請求の範囲】
【請求項１】
電気掃除機の吸引部に着脱自在に取り付けられるほこり取りのアタッチメントであって、
一端にほこり取りが挿入可能な筒部を設けると共に、他端に前記電気掃除機の吸引部に装着可能な装着部を有する本体を備え、
前記本体は、内部に吸引通路を有し、前記吸引通路の前記装着部から遠い側の開口端は、前記筒部の内壁に臨み、
前記筒部の外壁と内壁の間には、前記吸引通路に連通する通路はなく、
前記ホコリ取りは、長手方向に長い部材であり、
前記筒部の一方の開口端から前記筒部の他方の開口端に至る寸法は、前記ホコリ取りの長手方向の寸法より短く、
前記吸引通路の前記装着部から遠い側の開口端を跨るように基部が設けられ、この基部に前記吸引通路の前記装着部から遠い側の開口端の外側であって、前記吸引通路の前記装着部から遠い側の開口端から前記装着部に向かう方向と逆方向に突出する突起が設けられている
ことを特徴とするほこり取りのアタッチメント。
【請求項２】
電気掃除機の吸引部に着脱自在に取り付けられるほこり取りのアタッチメントであって、
一端にほこり取りが挿入可能な筒部を設けると共に、他端に前記電気掃除機の吸引部
に装着可能な装着部を有する本体を備え、
前記本体は、内部に吸引通路を有し、前記吸引通路の前記装着部から遠い側の開口端
は、前記筒部の内壁に臨み、
前記ホコリ取りは、長手方向に長い部材であり、
前記筒部の一方の開口端から前記筒部の他方の開口端に至る寸法は、前記ホコリ取り
の長手方向の寸法より短く、
前記吸引通路の装着部から遠い側の開口端を跨るように設けられた第１の基部と、
この第１の基部に設けられ、前記開口端の外側に突出する第１の突起と、
前記開口端を跨るように設けられた第２の基部と、
この第２の基部に設けられ、前記開口端の外側に突出する第２の突起と、
前記開口端の外側から見て、前記第１の基部と前記第２の基部はクロスし、前記開口
端の開口部が４個に分割形成されている
ことを特徴とするほこり取りのアタッチメント。
【手続補正２】
【補正対象書類名】明細書
【補正対象項目名】０００６
【補正方法】変更
【補正の内容】
【０００６】
請求項１記載のほこり取りのアタッチメントは、電気掃除機の吸引部に着脱自在に取り付けられるほこり取りのアタッチメントであって、一端にほこり取りが挿入可能な筒部を設けると共に、他端に前記電気掃除機の吸引部に装着可能な装着部を有する本体を備え、前記本体は、内部に吸引通路を有し、前記吸引通路の前記装着部から遠い側の開口端は、前記筒部の内壁に臨み、前記筒部の外壁と内壁の間には、前記吸引通路に連通する通路はなく、前記ホコリ取りは、長手方向に長い部材であり、前記筒部の一方の開口端から前記筒部の他方の開口端に至る寸法は、前記ホコリ取りの長手方向の寸法より短く、前記吸引通路の前記装着部から遠い側の開口端を跨るように基部が設けられ、この基部に前記吸引通路の前記装着部から遠い側の開口端の外側であって、前記吸引通路の前記装着部から遠い側の開口端から前記装着部に向かう方向と逆方向に突出する突起が設けられているものである。